(57)【要約】【課題】電子ペンを利用し、ストロークカウント機能、項目カウント機能及び帳票カウント機能と、ペン内時刻取得機能とを組み合わせることで、各種データを自動集計することが可能な集計システムを提供する。【解決手段】集計システム１００において利用者は、電子ペン１０を使用して複数の電子ペン用帳票３に記入を行う。サーバ５は、座標テーブル１０４を参照することにより、電子ペン１０より取得した記入情報から帳票記入情報を抽出する。サーバ５は、まず、帳票記入情報に含まれるストローク数を算出する。さらに、サーバ５は、単位時間当たりのストローク数である単位ストローク数を算出する。そして、サーバ５は、単位ストローク数に基づいて、自動的に集計結果情報を作成する。【選択図】図１２
2008117192.tif 000002
【特許請求の範囲】
【請求項１】
電子ペンにより認識可能なドットパターンが印刷された複数の電子ペン用帳票に記入された情報を処理する処理装置であって、
各電子ペン用帳票を識別する帳票識別情報と、前記電子ペン用帳票に印刷されたドットパターンの座標情報とを対応付けた帳票座標情報を記憶する帳票座標情報記憶手段と、
前記電子ペンを使用して複数の前記電子ペン用帳票に記入された記入情報を取得する記入情報取得手段と、
前記記入情報に含まれる座標情報に基づいて、前記帳票座標情報を参照することにより、当該記入情報から各電子ペン用帳票に記入された帳票記入情報を抽出する帳票記入情報抽出手段と、
前記帳票記入情報に含まれるストロークの数であるストローク数を算出するストローク数算出手段と、
前記ストローク数算出手段が算出したストローク数及び前記帳票記入情報に含まれる時間情報に基づいて、所定の時間単位のストローク数である単位ストローク数を算出する単位ストローク数算出手段と、
前記単位ストローク数算出手段が算出した単位ストローク数に基づいて、複数の前記電子ペン用帳票に記入された内容の集計結果である集計結果情報を作成する集計結果情報作成手段と、を備えることを特徴とする処理装置。
【請求項２】
前記処理装置は、
前記記入情報に含まれる座標情報に基づいて、前記帳票座標情報を参照することにより、前記電子ペンにより記入された電子ペン用帳票の数である帳票数を算出する帳票数算出手段と、
前記帳票数算出手段が算出した帳票数及び前記記入情報に含まれる時間情報に基づいて、所定の時間単位の帳票数である単位帳票数を算出する単位帳票数算出手段と、をさらに備え、
前記集計結果情報作成手段は、さらに前記単位帳票数算出手段が算出した単位帳票数に基づいて、前記集計結果情報を作成することを特徴とする請求項１に記載の処理装置。
【請求項３】
前記電子ペン用帳票は、前記電子ペンにより記入される複数の項目から構成されており、
前記処理装置は、
前記項目を識別する項目識別情報と、前記電子ペン用帳票に印刷された前記ドットパターンの座標情報とを対応付けた項目座標情報を記憶する項目座標情報記憶手段と、
前記帳票記入情報に含まれる座標情報に基づいて前記項目座標情報を参照することにより、前記電子ペンにより記入された項目の数である項目数を算出する項目数算出手段と、
前記項目数算出手段が算出した項目数及び前記帳票記入情報に含まれる時間情報に基づいて、所定の時間単位の項目数である単位項目数を算出する項目数算出手段と、をさらに備え、
前記集計結果情報作成手段は、さらに前記項目数算出手段が算出した単位項目数に基づいて、前記集計結果情報を作成することを特徴とする請求項１又は２に記載の処理装置。
【請求項４】
電子ペンにより認識可能なドットパターンが印刷された複数の電子ペン用帳票に記入された情報を処理するコンピュータにより実行されるプログラムであって、
各電子ペン用帳票を識別する帳票識別情報と、前記電子ペン用帳票に印刷されたドットパターンの座標情報とを対応付けた帳票座標情報を記憶する帳票座標情報記憶手段、
前記電子ペンを使用して複数の前記電子ペン用帳票に記入された記入情報を取得する記入情報取得手段、
前記記入情報に含まれる座標情報に基づいて、前記帳票座標情報を参照することにより、当該記入情報から各電子ペン用帳票に記入された帳票記入情報を抽出する帳票記入情報抽出手段、
前記帳票記入情報に含まれるストロークの数であるストローク数を算出するストローク数算出手段、
前記ストローク数算出手段が算出したストローク数及び前記帳票記入情報に含まれる時間情報に基づいて、所定の時間単位のストローク数である単位ストローク数を算出する単位ストローク数算出手段、
前記単位ストローク数算出手段が算出した単位ストローク数に基づいて、複数の前記電子ペン用帳票に記入された内容の集計結果である集計結果情報を作成する集計結果情報作成手段、として前記コンピュータを機能させることを特徴とするプログラム。
【発明の詳細な説明】
【技術分野】
【０００１】
本発明は、電子ペンで記入した情報に基づいてデータの自動集計を行うための技術に関する。
【背景技術】
【０００２】
従来から、キャンペーン等の来店型申込受付では、来店数、勧誘数、申込数といったデータをある一定時間毎に集計し、集計結果を次回以降における人員の最適配置予測に活用している。通常、このような集計を行うためには、受付業務を行うスタッフが、上記データを一定時間毎に集計し、台帳に数値記入する運用となっている。そのため、本来の受付業務とあわせて集計作業を行うスタッフにとっては極めて負荷が高く、本来の受付業務に支障をきたすという問題が生じていた。
【０００３】
一方、近年、「電子ペン」、「デジタルペン」などと呼ばれるペン型入力デバイスが登場しており（以下、本明細書では「電子ペン」と呼ぶ。）、その代表的なものとしてスウェーデンのAnoto社が開発した「アノトペン（Anoto pen）」が知られている。アノトペンは、所定のドットパターンが印刷された専用紙（以下、「専用ペーパー」とも呼ぶ。）とペアで使用される。アノトペンは、通常のインクタイプのペン先部に加えて、専用紙上のドットパターンを読み取るための小型カメラと、データ通信ユニットを搭載している。利用者が専用紙上にアノトペンで文字などを書いたり、専用紙上に図案化されている画像をチェックしたりすると、ペンの移動に伴って小型カメラが専用紙上のドットパターンを検出し、利用者が書き込んだ文字、画像などの記入情報が取得される。この記入情報が、データ通信ユニットによりアノトペンから近くのパーソナルコンピュータや携帯電話などの端末装置に送信される。このアノトペンを利用したシステムは、キーボードに代わる入力デバイスとして利用することが可能であり、上述のパーソナルコンピュータやキーボードの使用に抵抗がある利用者にとっては非常に使いやすい。そのため、現在、各種ビジネス上の書類、申込書、契約書等に記入されたデータをデジタル化する手法として、電子ペンを利用したシステムが普及しつつある（例えば、特許文献１）。
【０００４】
このことから、電子ペンを利用して電子ペン用帳票に記入を行うことで、スタッフが本来の受付業務に集中しつつ、自動的にデータの集計を行うことができれば便利である。
【０００５】
【特許文献１】特開２００４−１５３６１２号公報
【発明の開示】
【発明が解決しようとする課題】
【０００６】
本発明は、以上の点に鑑みてなされたものであり、電子ペンを利用し、ストロークカウント機能、項目カウント機能及び帳票カウント機能と、ペン内時刻取得機能とを組み合わせることで、各種データを自動集計することができる集計システムを提供することを課題とする。
【課題を解決するための手段】
【０００７】
本発明の１つの観点では、電子ペンにより認識可能なドットパターンが印刷された複数の電子ペン用帳票に記入された情報を処理する処理装置であって、各電子ペン用帳票を識別する帳票識別情報と、前記電子ペン用帳票に印刷されたドットパターンの座標情報とを対応付けた帳票座標情報を記憶する帳票座標情報記憶手段と、前記電子ペンを使用して複数の前記電子ペン用帳票に記入された記入情報を取得する記入情報取得手段と、前記記入情報に含まれる座標情報に基づいて、前記帳票座標情報を参照することにより、当該記入情報から各電子ペン用帳票に記入された帳票記入情報を抽出する帳票記入情報抽出手段と、前記帳票記入情報に含まれるストロークの数であるストローク数を算出するストローク数算出手段と、前記ストローク数算出手段が算出したストローク数及び前記帳票記入情報に含まれる時間情報に基づいて、所定の時間単位のストローク数である単位ストローク数を算出する単位ストローク数算出手段と、前記単位ストローク数算出手段が算出した単位ストローク数に基づいて、複数の前記電子ペン用帳票に記入された内容の集計結果である集計結果情報を作成する集計結果情報作成手段と、を備える。
【０００８】
上記のように構成された処理装置において、利用者は、電子ペンを使用して複数の電子ペン用帳票に記入を行う。このとき、利用者は、所定の人数や個数等の数をカウントし、１単位を１ストロークとして電子ペン用帳票に記入する。１ストロークとは、１回の動作、即ち一筆書きで記入したストロークのことである。すると、電子ペンは、電子ペンの移動に伴って電子ペン用帳票上のドットパターンを読み取り、利用者が記入した内容に対応するストロークや座標に関する情報を記入情報として取得する。処理装置は、電子ペンから記入情報を取得する。すると、処理装置は、予め有する帳票座標情報を参照することにより、記入情報から、各電子ペン用帳票に記入された情報を帳票記入情報としてそれぞれ抽出する。つまり、複数の電子ペン用帳票に記入された内容に対応する記入情報から、１枚の電子ペン用帳票に記入された内容に対応する記入情報を帳票記入情報として抽出する。そして、処理装置は、帳票記入情報に含まれるストローク数を算出する。さらに、時間情報には記入時刻が含まれているため、処理装置は、帳票記入情報に含まれる時間情報に基づいて、単位時間当たりのストローク数である単位ストローク数を算出する。そして、処理装置は、単位ストローク数に基づいて、集計結果情報を作成する。利用者は、電子ペンを使用して電子ペン用帳票に記入することで、所定の人数や個数等の数をカウントしているため、単位ストローク数は、単位時間当たりの人数や個数といえる。つまり、利用者が、時間を意識することなく数に応じたストロークを記入するだけで、処理装置は、自動的に単位時間当たりの集計結果をデジタルデータとして作成することができる。よって、所定の情報の集計結果を算出する際に、利用者の負担を軽減することができる。
【０００９】
上記処理装置の一態様では、前記処理装置は、前記記入情報に含まれる座標情報に基づいて、前記帳票座標情報を参照することにより、前記電子ペンにより記入された電子ペン用帳票の数である帳票数を算出する帳票数算出手段と、前記帳票数算出手段が算出した帳票数及び前記記入情報に含まれる時間情報に基づいて、所定の時間単位の帳票数である単位帳票数を算出する単位帳票数算出手段と、をさらに備え、前記集計結果情報作成手段は、さらに前記単位帳票数算出手段が算出した単位帳票数に基づいて、前記集計結果情報を作成する。
【００１０】
上記のように構成された処理装置は、利用者が記入した電子ペン用帳票の枚数を算出する。さらに、処理装置は、記入情報に含まれる時間情報に基づいて、単位時間当たりの枚数を算出する。これによれば、例えば、１人の顧客が１枚の申込書に記入することで受付が完了する場合等に、申込書を電子ペン用帳票とし、当該申込書の単位時間当たりの枚数を算出することで、容易に単位時間当たりの受付数を算出することができる。
【００１１】
上記処理装置のさらに他の一態様では、前記電子ペン用帳票は、前記電子ペンにより記入される複数の項目から構成されており、前記処理装置は、前記項目を識別する項目識別情報と、前記電子ペン用帳票に印刷された前記ドットパターンの座標情報とを対応付けた項目座標情報を記憶する項目座標情報記憶手段と、前記帳票記入情報に含まれる座標情報に基づいて前記項目座標情報を参照することにより、前記電子ペンにより記入された項目の数である項目数を算出する項目数算出手段と、前記項目数算出手段が算出した項目数及び前記帳票記入情報に含まれる時間情報に基づいて、所定の時間単位の項目数である単位項目数を算出する項目数算出手段と、をさらに備え、前記集計結果情報作成手段は、さらに前記項目数算出手段が算出した単位項目数に基づいて、前記集計結果情報を作成する。
【００１２】
上記のように構成された処理装置は、利用者が記入した項目の数を算出する。さらに、処理装置は、帳票記入情報に含まれる時間情報に基づいて、単位時間当たりの項目数を算出する。これによれば、例えば、１つの項目に受付が完了した１人の氏名を記入する場合等に、単位時間当たりの項目数を算出することで、容易に単位時間当たりの受付数を算出することができる。
【００１３】
本発明の別の観点では、電子ペンにより認識可能なドットパターンが印刷された複数の電子ペン用帳票に記入された情報を処理するコンピュータにより実行されるプログラムであって、各電子ペン用帳票を識別する帳票識別情報と、前記電子ペン用帳票に印刷されたドットパターンの座標情報とを対応付けた帳票座標情報を記憶する帳票座標情報記憶手段、前記電子ペンを使用して複数の前記電子ペン用帳票に記入された記入情報を取得する記入情報取得手段、前記記入情報に含まれる座標情報に基づいて、前記帳票座標情報を参照することにより、当該記入情報から各電子ペン用帳票に記入された帳票記入情報を抽出する帳票記入情報抽出手段、前記帳票記入情報に含まれるストロークの数であるストローク数を算出するストローク数算出手段、前記ストローク数算出手段が算出したストローク数及び前記帳票記入情報に含まれる時間情報に基づいて、所定の時間単位のストローク数である単位ストローク数を算出する単位ストローク数算出手段、前記単位ストローク数算出手段が算出した単位ストローク数に基づいて、複数の前記電子ペン用帳票に記入された内容の集計結果である集計結果情報を作成する集計結果情報作成手段、として前記コンピュータを機能させる。
【００１４】
上記プログラムをコンピュータにより実行することにより、上述の処理装置を実現することができる。また、上述の処理装置の各態様も同様に実現することができる。
【発明の効果】
【００１５】
本発明によれば、電子ペンを利用し、ストロークカウント機能、項目カウント機能及び帳票カウント機能と、ペン内時刻取得機能とを組み合わせることで、各種データを自動集計することができる。
【発明を実施するための最良の形態】
【００１６】
以下、図面を参照して本発明の好適な実施の形態について説明する。まず、本発明のシステムにおいて入力デバイスとして使用される電子ペンの概要について説明する。
【００１７】
［電子ペン］
図１は電子ペンの使用形態を模式的に示す図であり、図２は電子ペンの構造を示す機能ブロック図である。図１に示すように、電子ペン１０は、ドットパターンが印刷された専用ペーパー２０と組み合わせて使用される。電子ペン１０は、通常のインクペンと同様のペン先部１７を備えており、利用者は通常のインクペンと同様に専用ペーパー２０上に文字などを書くことになる。
【００１８】
図２に示すように、電子ペン１０は、その内部にプロセッサ１１、メモリ１２、データ通信ユニット１３、バッテリー１４、ＬＥＤ１５、カメラ１６及び圧力センサ１８を備える。また、電子ペン１０は通常のインクペンと同様の構成要素としてインクカートリッジ（図示せず）などを有する。
【００１９】
電子ペン１０は、ペン先部１７により専用ペーパー２０上に描かれたインクの軌跡をデータ化するのではなく、専用ペーパー２０上で電子ペン１０が移動した軌跡座標をデータ化する。ＬＥＤ１５が専用ペーパー２０上のペン先部１７近傍を照明しつつ、カメラ１６が専用ペーパー２０に印刷されているドットパターンを読み取り、データ化する。つまり、電子ペン１０は専用ペーパー２０上で利用者が電子ペン１０を移動させることにより生じるストロークを画像データ又はベクトルデータとして取得することができる。
【００２０】
圧力センサ１８は、利用者が電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、ＬＥＤ１５及びカメラ１６のスイッチオン／オフの切換を行う。即ち、利用者が電子ペン１０で専用ペーパー２０上に文字などを書くと、ペン先部１７には筆圧がかかる。よって、所定値以上の筆圧が検出されたときに、利用者が記述を開始したと判定して、ＬＥＤ１５及びカメラ１６を作動する。
【００２１】
カメラ１６は専用ペーパー２０上のドットパターンを読み取り、そのパターンデータをプロセッサ１１に供給する。プロセッサ１１は、供給されたドットパターンから、専用ペーパー２０上でのＸ，Ｙ座標を算出する。
【００２２】
プロセッサ１１は、利用者の記述が行われる間に、筆圧の配列データ及びＸ，Ｙ座標データを取得し、タイムスタンプ（時間情報）と関連付けてメモリ１２に記憶していく。よって、メモリ１２内には利用者の記述内容に対応するデータが時系列で記憶されていく。メモリ１２の容量は例えば１Ｍバイト程度とすることができる。
【００２３】
利用者により送信指示がなされるまでは、取得された全てのデータはメモリ１２内に保持される。そして、利用者が送信指示を行うと、データ通信ユニット１３により、電子ペン１０と所定距離内にある端末装置２５へメモリ１２内のデータが送信される。基本的には、一度送信指示がなされると、電子ペン１０はメモリ１２内に記憶していた全てのデータを端末装置２５へ送信するため、メモリ１２内はクリアされる。よって、送信後にもう一度同じ情報を端末装置２５へ送信したい場合には、利用者は専用ペーパー２０上に再度記述を行う必要がある。なお、この場合、利用者は専用ペーパー２０上にインクペンで書かれた文字などをなぞればよいことになる。
【００２４】
送信指示その他の指示は、利用者が専用ペーパー２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、データ通信ユニット１３にメモリ１２内のデータを供給し、端末装置２５への送信を行わせる。なお、電子ペン１０は、データの送信完了を電子ペンの振動により示すことができる。また、電子ペン１０自体が、送信機能を搭載していることとしてもよい。
【００２５】
バッテリー１４は電子ペン１０内の各要素に電源供給するためのものであり、例えば電子ペンのキャップ（図示せず）により電子ペン１０自体の電源のオン／オフを行うことができる。
【００２６】
このように、電子ペン１０は利用者が専用ペーパー２０上に記述した文字などに対応する座標データ及び筆圧データを取得して近傍の端末装置２５へ送信する機能を有するが、電子ペン１０のペン先部１７は通常のインクペンとなっているため、専用ペーパー２０上に記述した内容はオリジナルの原本として残るという特徴がある。即ち、紙の原本に対して記述するのと同時に、その内容を座標データなどの形態でリアルタイムに電子化することができる。
【００２７】
なお、電子ペン１０の標準機能によれば、電子ペン１０により得られるデータは、原則として座標データ又はベクトルデータの形態であり、テキストデータではない。但し、電子ペン１０は標準機能として、専用ペーパー２０上に設けられた専用エリアに記述することにより、英数字に限りテキスト化する機能は備えている。
【００２８】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、emailアドレス、空きメモリ容量、名称、住所、ファックス／電話番号、携帯電話番号などを保持することができる。
【００２９】
なお、上記の例におけるデータ通信ユニット１３では、Bluetooth（登録商標）の無線伝送、ＵＳＢケーブルを使用した有線伝送、端子などの接触によるデータ伝送など、各種の方法によって電子ペン１０から端末装置２５へのデータ送信を行うことが考えられる。
【００３０】
次に、電子ペンにより利用者が記述した内容のＸ，Ｙ座標データを取得する方法について説明する。前述のように専用ペーパー２０には、所定のドットパターンが印刷されている。電子ペン１０のカメラ１６は、利用者が専用ペーパー２０上に記述したインクの軌跡を読み取るのではなく、専用ペーパー２０上のドットパターンを読み取る。実際、図１に示すように、ＬＥＤ１５による照明エリア及びカメラ１６の撮影エリア（照明エリア内に位置する）は、ペン先部１７が専用ペーパー２０に接触する位置とはずれている。
【００３１】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して各種申込書などの帳票を生成する際は、専用インキ以外のインキで入力枠や罫線、注意書きなどを印刷する。
【００３２】
ドットパターンは、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組合せにより、専用ペーパー上の位置座標が決定される。図４（ａ）に例示するように、縦横２mmの範囲内に３６個のドットが格子状に配置され、これらのドットにより示されるデータの配列（図４（ｂ））が、その専用ペーパー上の位置座標と対応付けされている。よって、電子ペン１０のカメラ１６が図４（ａ）に示すようなドットパターンを撮影すると、プロセッサ１１はカメラ１６から入力されるドットパターンのデータに基づいて図４（ｂ）に示すデータ配列を取得し、それに対応する専用ペーパー上の位置座標（即ち、そのドットパターンがその専用ペーパー上のどの位置にあるのか）をリアルタイムで算出する。なお、ドットパターンを認識する最小単位は２mm×２mmであり、カメラ１６は毎秒１００回程度の撮影を行う。
【００３３】
次に、専用ペーパーについて説明する。専用ペーパーの構造の一例を図５に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００３４】
図案３４の例を図６に示す。図６は、ある申込書３６の例であり、複数の記入欄３８や送信ボックス３９が印刷されている。図６には明確に図示されておらず、詳細は後述するが、実際にはドットパターンが申込書３６の全面に印刷されており、その上に記入欄３８や送信ボックス３９が通常のインキにより印刷されている。利用者は、ドットパターンを意識することなく、従来からある申込書と同様に、電子ペン１０を使用して必要事項を申込書３６の各記入欄３８に記入すればよい。
【００３５】
専用ペーパー２０上のエリアは大きく２種類のエリアに分けることができる。１つは記入エリアであり、電子ペン１０による記述内容をそのまま情報として取り扱うエリアである。図６の例では複数の記入欄３８がこれに該当する。もう１つは機能エレメントであり、対応するエリア内を電子ペン１０でチェックした際に、予めそのエリアに対して定義されているアクション、指示などを実行するようになっている。図６の例における送信ボックス３９がこれに該当する。
【００３６】
送信ボックス３９は前述したように電子ペン１０内に記憶されているデータを近傍の端末装置２５へ送信するための指示を行う際に使用される。利用者が送信ボックス３９内に電子ペン１０でチェックを入れると、電子ペン１０が送信ボックス内のドットパターンを読み取る。当該パターンは送信指示に対応付けられており、電子ペン１０内のプロセッサ１１はデータ通信ユニット１３にメモリ１２内の記憶データの送信命令を発する。
【００３７】
ドットパターンの割り当ては、通常、アプリケーション（用紙の種類）毎に行われる。即ち、ある申込書内のドットパターンは１枚の用紙の中で重複することはないが、同一の申込書には全て同じドットパターンが印刷されている。よって、利用者が電子ペン１０で必要事項を入力すると、その入力事項がその申込書のどの項目に対するものであるかを、申込書上の座標データから特定することができる。
【００３８】
このように、ドットパターンを印刷した専用ペーパー上に所定の図案を印刷することにより、専用ペーパーを利用した各種申込書が生成できる。利用者は電子ペン１０を使用して通常の要領で必要事項を記入すれば、その電子データが自動的に取得される。
【００３９】
上記の例では、ドットパターンは専用ペーパー上にカーボンを含むインキにより印刷されているが、プリンタ及びカーボンを含むインクを使用してドットパターンを通常の紙上にプリントすることも可能である。さらに、専用ペーパー上の図案も印刷ではなく、プリンタにより形成することも可能である。ドットパターンをプリンタにより紙上に形成する場合には、１枚１枚に異なるドットパターンを形成することが可能である。よって、形成されたドットパターンの違いにより、それらの用紙１枚１枚を識別し、区別することが可能となる。
【００４０】
なお、本明細書においては、「印刷」の語は、通常の印刷のみならず、プリンタによるプリントも含む概念とする。
【００４１】
次に、電子ペンにより取得したデータの送信処理について図２を参照して説明する。電子ペン１０が取得したデータは、主として利用者が入力した事項のデータであるが、通常はそのデータの送信先であるサービスサーバがどこであるかの情報は含まれていない。その代わりに、その専用ペーパーに関するアプリケーションやサービスを特定する情報が専用ペーパー上のドットパターンに含まれており、利用者の入力作業中に専用ペーパーからその情報が取得されている。よって、電子ペン１０から記入情報を受け取った端末装置２５は、まず、問い合わせサーバ２６に対して、その専用ペーパーに対して入力されたデータをどのサービスサーバ２７へ送信すべきかの問い合わせを行う。問い合わせサーバ２６は、専用ペーパー毎に、対応するサービスサーバの情報を有しており、端末装置２５からの問い合わせに応じて、当該専用ペーパーに関するサービスなどを行うサービスサーバ２７の情報（ＵＲＬなど）を端末装置２５へ回答する。それから、端末装置２５は、電子ペンから取得した記入情報をそのサービスサーバ２７へ送信することになる。
【００４２】
なお、上記の例では端末装置２５、問い合わせサーバ２６及びサービスサーバ２７が別個に構成されているが、これらの幾つか又は全てを１つの装置として構成することも可能である。本実施形態において後述するサーバは、問い合わせサーバ２６及びサービスサーバ２７を兼ねていることとしている。
【００４３】
[集計システム]
次に、本発明の集計システムについて説明する。この集計システムでは、電子ペンを利用し、ストロークカウント機能、項目カウント機能及び帳票カウント機能と、ペン内時刻取得機能とを組み合わせることで、各種データを自動集計する。図７に集計システムの概略構成を示す。
【００４４】
図７に示すように、集計システム１００は、端末装置２５及びサーバ５がネットワーク２を通じて接続されることにより構成される。ここで、ネットワーク２の１つの好適な例はインターネットである。また、端末装置２５とは、利用者が使用するパーソナルコンピュータ（以下、「ＰＣ」と呼ぶ。）や携帯電話といったネットワークを介してデータの授受が可能な端末装置である。電子ペン１０により、上述の専用ペーパーである電子ペン用帳票３に記入された記入内容は、記入情報として端末装置２５を介し、サーバ５へ送信される。記入情報には、利用者が記入した記入内容に関するストローク情報や座標情報等が含まれている。
【００４５】
なお、本実施形態において電子ペン用帳票３は、来店カウントメモ３ａ、勧誘カウントメモ３ｂ、接客カウントメモ３ｃ及び受付リスト３ｄの総称である。来店カウントメモ３ａ、勧誘カウントメモ３ｂ、接客カウントメモ３ｃ及び受付リスト３ｄは、全てドットパターンが印刷された電子ペン用帳票であって、電子ペン１０は記入内容をデジタルデータの記入情報として取得することができる。
【００４６】
サーバ５は、取得した記入情報に基づいて、来店数、勧誘数、接客数及び受付数を算出し、時間情報に含まれる記入時刻に基づいて所定の時間単位で分類する。即ち、記入情報に基づいて、単位時間当たりの来店数、勧誘数、接客数及び受付数を自動的に算出する。そして、サーバ５は、算出した単位時間当たりの来店数、勧誘数、接客数及び受付数に基づいて、自動的に、図９に示すような集計結果情報を作成する。サーバ５は、集計結果データベース（以下、「ＤＢ」と呼ぶ。）６に接続されており、作成した集計結果情報を集計結果ＤＢ６に記憶し、管理する。
【００４７】
従来、キャンペーン等の来店型申込受付において来店数、勧誘数、接客数及び受付数を集計するためには、受付業務を行うスタッフが、本来の業務とあわせて図８に示すような管理台帳に数値を記入する必要があった。管理台帳は、通常の紙媒体であって、図示のように、集計結果及び受付リストから構成されている。集計結果は、３０分毎の来店数、勧誘数、接客数及び受付数とその合計である。また、受付リストは、申込受付を完了した顧客の氏名や連絡先である。
【００４８】
通常、集計結果を記入するためには、スタッフが、予め時間を意識しながらメモをすることで、来店数、勧誘数及び接客数を特定する必要がある。また、時間を意識しながら受付リストを参照することにより受付数を特定する必要がある。そして、スタッフは、メモや受付リストを基に集計結果を記入する。そのため、受付業務を行うスタッフの負荷が大きいという問題が生じていた。さらに、管理台帳は、通常の紙媒体であるため、集計結果をデジタルデータとして管理するためには、当該管理台帳に基づくタイプ入力等をしなければならず、余計な人件費がかかっていた。
【００４９】
これに対し、本発明の集計システム１００では、電子ペン１０を利用して、電子ペン用帳票である来店カウントメモ３ａ、勧誘カウントメモ３ｂ、接客カウントメモ３ｃ及び受付リスト３ｄに記入することで、ストロークカウント機能、項目カウント機能、帳票カウント機能及びペン内時刻取得機能を組み合わせて、デジタルデータの集計結果を自動的に算出する。よって、受付業務を行うスタッフの負荷を軽減すると共に、余計な人件費を削減することができる。
【００５０】
[電子ペン用帳票]
次に、本実施形態で使用される電子ペン用帳票３について図１０及び図１１を参照して説明する。図１０は、来店カウントメモ３ａ、接客カウントメモ３ｃ及び受付リスト３ｄの記入例である。図１１は、受付リストの記入例である。
【００５１】
上述のように、本実施形態で使用される電子ペン用帳票３は、来店カウントメモ３ａ、勧誘カウントメモ３ｂ、接客カウントメモ３ｃ及び受付リスト３ｄである。来店カウントメモ３ａ、勧誘カウントメモ３ｂ、接客カウントメモ３ｃ及び受付リスト３ｄは、上述した専用ペーパーとして作成されている。即ち、図５に例示するように台紙３０上に所定のドットパターン３２が印刷されており、その上に所定の文字や罫線などが印刷されている。先に述べたように、ドットパターン３２は電子ペン１０が認識することができるように、カーボンを含んだインキにより印刷されている。一方、文字や解答欄などの図案３４は、通常の（カーボンを含まない）インキにより印刷されているため、電子ペン１０がそれを認識することはない。
【００５２】
来店数をカウントするスタッフは、電子ペン１０を使用して、図１０（ａ）に示すように、来店カウントメモ３ａに来店した人数を正の字で記入する。来店した人数とは、キャンペーン等の来店型申込受付において、来店した顧客の人数である。
【００５３】
また、勧誘数をカウントするスタッフは、電子ペン１０を使用して、図１０（ｂ）に示すように、勧誘カウントメモ３ｂに勧誘した人数を正の字で記入する。勧誘した人数とは、来店した顧客の内、スタッフが店内で声をかけた人数である。
【００５４】
また、接客数をカウントするスタッフは、電子ペン１０を使用して、図１０（ｃ）に示すように、接客カウントメモ３ｃに接客した人数を正の字で記入する。接客した人数とは、単に声をかけるだけではなく、スタッフが店内でキャンペーン中の申込について説明した人数である。
【００５５】
各スタッフは、記入の際に時間を意識する必要はなく、単純に人数を正の字で記入すればよい。記入が完了すると、各スタッフは、電子ペン１０により取得した記入情報を、端末装置２５を介して、サーバ５へ送信する。記入が完了するときとは、例えば１日の業務が終了したとき等である。
【００５６】
なお、来店数、勧誘数及び接客数をそれぞれカウントするスタッフは、同一人物であってもよいし、別人であってもよい。さらに、使用する電子ペンも同一であってもよいし、別物であってもよい。
【００５７】
また、本実施形態では、電子ペン１０で来客カウントメモ３ａ、勧誘カウントメモ３ｂ及び接客カウントメモ３ｃに正の字を記入することでデジタルデータの記入情報を取得するが、このときインクの有無は関係ない。よって、電子ペン１０にインクが注入されておらず、各種カウントメモを何度も使用できることとしてもよい。一方、電子ペン１０にインクが注入されていれば、各種カウントメモと集計結果を照合して検証することが可能となる。よって、電子ペン１０にインクを注入するか否かは任意に設定することができる。
【００５８】
また、本実施形態では、人数をカウントするために正の字を記入することとしているが、本発明はこれに限定されるものではない。詳細は後述するが、サーバ５は、記入情報に含まれるストローク数に基づいて人数を算出するため、１人に対して１ストロークであればどのような記号や文字を利用しても構わない。
【００５９】
一方、受付業務を行うスタッフは、電子ペン１０を使用して、図１１に示すように、受付リストに申込受付を完了した顧客の氏名及び連絡先を記入する。このとき、スタッフは時刻を意識する必要がなく、申込受付が完了した順に顧客の氏名及び連絡先を記入していけばよい。１項目に１人分の情報が記入される。記入が完了すると、受付業務を行うスタッフは、電子ペン１０により取得した記入情報を、端末装置２５を介して、サーバ５へ送信する。記入が完了するときとは、例えば１日の業務が終了したとき等である。
【００６０】
なお、本実施形態では、来店カウントメモ３ａ、勧誘カウントメモ３ｂ、接客カウントメモ３ｃ及び受付リスト３ｄが全て別々の電子ペン用帳票であることとしているが、本発明はこれに限定されるものではなく、１部又は全部が同じ１枚の電子用帳票上に配置されていることとしてもよい。即ち、集計システム１００において使用する電子ペン用帳票３のデザインは任意である。
【００６１】
このように、本発明によれば、スタッフは、時間を意識することなく単純に来店数、勧誘数及び接客数に対応する正の字を各種メモに記入すればよい。また、受付業務を行うスタッフは、電子ペン１０を利用して、従来と同様に受付リストに記入を行えばよい。すると、サーバ５は、電子ペン１０から取得したデジタルデータである記入情報に基づいて自動的に集計結果情報を作成する。これによれば、スタッフ自身が時間を意識して集計する必要がなくなるため、スタッフの負担を大幅に軽減することができる。
【００６２】
[サーバ]
次に、サーバ５について図１２を参照して詳しく説明する。図１２は、集計システム１００における、特にサーバ５の内部構成を示す図である。図示のように、サーバ５は、集計プログラム１０１、記入情報取得機能１０２、帳票記入情報抽出機能１０３、座標テーブル１０４、来店数算出機能１０５、勧誘数算出機能１０６、接客数算出機能１０７、受付数算出機能１０８、集計結果情報作成機能１０９及び集計結果情報記憶機能１１０を有する。なお、これら各構成要素は、実際には、予め用意されたプログラムをサーバ５内のＣＰＵなどが実行することにより実現される。
【００６３】
集計プログラム１０１は、端末装置２５を介して電子ペン１０から取得した記入情報に基づいて、単位時間当たりの各種人数を算出することで、集計結果情報を作成するプログラムである。
【００６４】
記入情報取得機能１０２は、集計プログラム１０１を実行することにより、電子ペン１０により電子ペン用帳票３に記入された内容に対応するデジタルデータである記入情報を取得する機能である。なお、記入情報には、記入時刻に関する時間情報や記入されたドットパターン上の位置を示す座標情報が含まれている。
【００６５】
帳票記入情報抽出機能１０３は、記入情報取得機能１０２が取得した記入情報から、座標テーブル１０４を参照することにより、来店カウントメモ３ａ、勧誘カウントメモ３ｂ、接客カウントメモ３ｃ及び受付リスト３ｄのそれぞれに記入された情報を、来店記入情報、勧誘記入情報、接客記入情報及び受付記入情報として抽出する機能である。
【００６６】
ここで、座標テーブル１０４について図１３を参照して説明する。図１３は、座標テーブル１０４のデータ構造を模式的に示す図である。図示のように、座標テーブル１０４は、帳票ＩＤ、帳票名、項目ＩＤ及び座標データから構成されている。帳票ＩＤは、各電子ペン用帳票を識別する情報である。帳票名は、各電子ペン用帳票の名称であり、本実施形態では来店カウントメモ、勧誘カウントメモ、接客カウントメモ及び受付リストである。項目ＩＤは、電子ペン用帳票を構成する各項目を識別する情報であり、本実施形態では、受付リスト３ｄにおいて申込受付を完了した顧客の氏名及び連絡先を記入する各項目を識別する情報であって、図１１に示す項目ＩＤに対応している。一方、来店カウントメモ３ａ、勧誘カウントメモ３ｂ及び接客カウントメモ３ｃには項目が設けられていないため、項目ＩＤは斜線となっている。座標情報は、各電子ペン用帳票に印刷されたドットパターンを示す情報である。具体的に、本実施形態における座標情報は、来店カウントメモ３ａ、勧誘カウントメモ３ｂ及び接客カウントメモ３ｃにおいては、各種メモ全体に対応するドットパターンを示す情報である。一方、受付リスト３ｄにおいては、受付リスト３ｄを構成する各項目に対応するドットパターンを示す情報である。
【００６７】
サーバ５は、座標情報に基づいて図示のような座標テーブル１０４を参照することで、当該座標情報を含む記入情報が、来店カウントメモ３ａ、勧誘カウントメモ３ｂ、接客カウントメモ３ｃ及び受付リスト３ｄのいずれの電子ペン用帳票に記入された内容に対応するかを容易に特定することができる。これによれば、帳票記入情報抽出機能１０３は、座標テーブル１０４を参照することにより、記入情報から来店記入情報、勧誘記入情報、接客記入情報及び受付記入情報をそれぞれ抽出することができる。また、サーバ５は、当該座標情報を含む記入情報が受付リストを構成するいずれの項目に記入された内容に対応するかを容易に特定することができる。これによれば、サーバ５は、電子ペン１０により記入された項目の数を特定することもできる。
【００６８】
来店数算出機能１０５は、来店ストローク数算出機能及び単位来店ストローク数算出機能をさらに有する。来店ストローク数算出機能は、帳票記入情報抽出機能１０３が抽出した来店記入情報に基づいて、記入者が電子ペン１０を使用して１回の動作、即ち一筆書きで記入したストロークの数を算出する機能である。つまり、来店記入情報に含まれるストローク数を算出し、来店ストローク数とする機能である。単位来店ストローク数算出機能は、来店ストローク数及び来店記入情報に含まれる時間情報に基づいて、単位時間当たりのストローク数を算出する機能である。時間情報には記入時刻が含まれているため、単位来店ストローク数算出機能は、記入時刻に基づいて所定の時間の間に来店カウントメモ３ａに記入されたストローク数を算出する。具体的に、本実施形態では、「９：３０〜１０：００」、「１０：００〜１０：３０」のように３０分の間に来店カウントメモ３ａに記入されたストローク数をそれぞれ算出し、単位来店ストローク数とする。
【００６９】
勧誘数算出機能１０６は、勧誘ストローク数算出機能及び単位勧誘ストローク数算出機能をさらに有する。勧誘ストローク数算出機能は、帳票記入情報抽出機能１０３が抽出した勧誘記入情報に基づいて、記入者が電子ペン１０を使用して１回の動作、即ち一筆書きで記入したストロークの数を算出する機能である。つまり、勧誘記入情報に含まれるストローク数を算出し、勧誘ストローク数とする機能である。単位勧誘ストローク数算出機能は、勧誘ストローク数及び勧誘記入情報に含まれる時間情報に基づいて、単位時間当たりのストローク数を算出する機能である。時間情報には記入時刻が含まれているため、単位勧誘ストローク数算出機能は、記入時刻に基づいて所定の時間の間に勧誘カウントメモ３ｂに記入されたストローク数を算出する。具体的に、本実施形態では、「９：３０〜１０：００」、「１０：００〜１０：３０」のように３０分の間に勧誘カウントメモ３ｂに記入されたストローク数をそれぞれ算出し、単位勧誘ストローク数とする。
【００７０】
接客数算出機能１０７は、接客ストローク数算出機能及び単位接客ストローク数算出機能をさらに有する。接客ストローク数算出機能は、帳票記入情報抽出機能１０３が抽出した接客記入情報に基づいて、記入者が電子ペン１０を使用して１回の動作、即ち一筆書きで記入したストロークの数を算出し、接客ストローク数とする機能である。つまり、接客記入情報に含まれるストローク数を算出する機能である。単位接客ストローク数算出機能は、接客ストローク数及び接客記入情報に含まれる時間情報に基づいて、単位時間当たりのストローク数を算出する機能である。時間情報には記入時刻が含まれているため、単位接客ストローク数算出機能は、記入時刻に基づいて所定の時間の間に接客カウントメモ３ｃに記入されたストローク数を算出する。具体的に、本実施形態では、「９：３０〜１０：００」、「１０：００〜１０：３０」のように３０分の間に接客カウントメモ３ｃに記入されたストローク数をそれぞれ算出し、単位接客ストローク数とする。
【００７１】
受付数算出機能１０８は、受付項目数算出機能及び単位受付項目数算出機能をさらに有する。受付項目数算出機能は、帳票記入情報抽出機能１０３が抽出した受付記入情報に基づいて、座標テーブル１０４を参照することで、記入者が電子ペン１０を使用して記入した項目の数を算出し、受付項目数とする機能である。単位受付項目数算出機能は、受付項目数及び受付記入情報に含まれる時間情報に基づいて、単位時間当たりに記入された項目数を算出する機能である。時間情報には記入時刻が含まれているため、単位受付項目数算出機能は、記入時刻に基づいて所定の時間の間に、受付リストにおいて受付者氏名及び連絡先が記入された項目数を算出する。具体的に、本実施形態では、「９：３０〜１０：００」、「１０：００〜１０：３０」のように３０分の間に受付リスト３ｄにおいて記入された項目数をそれぞれ算出し、単位受付項目数とする。
【００７２】
なお、本実施形態では、項目数を算出して受付数としているが、本発明はこれに限定されるものではなく、座標情報に基づいてカウントできれば行数や列数等を算出して受付数とすることとしてもよい。
【００７３】
集計結果情報作成機能１０９は、来店数算出機能１０６が算出した単位来店ストローク数と、勧誘数算出機能１０６が算出した単位勧誘ストローク数と、接客数算出機能１０７が算出した単位接客ストローク数と、受付数算出機能１０８が算出した単位受付項目数とに基づいて、図９に示すような集計結果情報を作成する機能である。具体的に、集計結果情報作成機能１０９は、時間単位（「９：３０〜１０：００」等）に応じた、来店ストローク数、勧誘ストローク数、接客ストローク数及び受付項目数を、それぞれ来店数、勧誘数、接客数及び受付数とし、それぞれの合計数を算出することで、図示のような集計結果情報を作成する。
【００７４】
集計結果情報記憶機能１１０は、集計結果情報作成機能１０９が作成した集計結果情報を集計結果ＤＢ６に記憶し、管理する機能である。
【００７５】
[集計処理]
次に、上記集計システム１００により実行される集計処理について説明する。図１４は、集計処理のフローチャートである。
【００７６】
来店数をカウントするスタッフは、電子ペン１０を使用して、図１０（ａ）に示すように、来店カウントメモ３ａに来店した人数を正の字で記入する。また、勧誘数をカウントするスタッフは、電子ペン１０を使用して、図１０（ｂ）に示すように、勧誘カウントメモ３ｂに勧誘した人数を正の字で記入する。また、接客数をカウントするスタッフは、電子ペン１０を使用して、図１０（ｃ）に示すように、接客カウントメモ３ｃに接客した人数を正の字で記入する。このとき、スタッフは、記入の際に時間を意識する必要はなく、単純に人数を正の字で記入すればよい。さらに、受付業務を行うスタッフは、電子ペン１０を使用して、図１１に示すように、受付リスト３ｄに申込受付を完了した顧客の氏名及び連絡先を記入する。このとき、スタッフは時間を意識する必要がなく、申込受付が完了した順に顧客の氏名及び連絡先を記入していけばよい。記入が完了すると、各スタッフは、電子ペン１０により取得した記入情報を、端末装置２５を介して、サーバ５へ送信する。記入が完了するときとは、例えば１日の業務が終了したとき等である。
【００７７】
サーバ５は、端末装置２５を介して、電子ペン１０から記入情報を取得する（ステップＳ１）。そして、サーバ５は、座標テーブル１０４を参照することにより、記入情報から来店カウントメモ３ａに記入された内容に対応する来店記入情報を抽出する（ステップＳ２）。さらに、サーバ５は、抽出した来店記入情報に含まれるストローク数を算出する。そして、サーバ５は、算出したストローク数と、来店記入情報に含まれる時間情報とに基づいて、来店カウントメモ３ａにおける単位時間当たりのストローク数である単位来店ストローク数を算出する（ステップＳ３）。
【００７８】
また、サーバ５は、座標テーブル１０４を参照することにより、記入情報から勧誘カウントメモ３ｂに記入された内容に対応する勧誘記入情報を抽出する（ステップＳ４）。さらに、サーバ５は、抽出した勧誘記入情報に含まれるストローク数を算出する。そして、サーバ５は、算出したストローク数と、勧誘記入情報に含まれる時間情報とに基づいて、勧誘カウントメモ３ｂにおける単位時間当たりのストローク数である単位勧誘ストローク数を算出する（ステップＳ５）。
【００７９】
また、サーバ５は、座標テーブル１０４を参照することにより、記入情報から接客カウントメモ３ｃに記入された内容に対応する接客記入情報を抽出する（ステップＳ６）。さらに、サーバ５は、抽出した接客記入情報に含まれるストローク数を算出する。そして、サーバ５は、算出したストローク数と、接客記入情報に含まれる時間情報とに基づいて、接客カウントメモ３ｃにおける単位時間当たりのストローク数である単位接客ストローク数を算出する（ステップＳ７）。
【００８０】
また、サーバ５は、座標テーブル１０４を参照することにより、記入情報から受付リスト３ｄに記入された内容に対応する受付記入情報を抽出する（ステップＳ８）。さらに、サーバ５は、抽出した受付記入情報に基づいて座標テーブル１０４を参照することにより、受付リスト３ｄにおい手受付者氏名及び連絡先が記入された項目数を算出する。そして、サーバ５は、算出した項目数と、受付記入情報に含まれる時間情報とに基づいて、受付リスト３ｄにおける単位時間当たりの記入項目数である単位受付項目数を算出する（ステップＳ９）。
【００８１】
最後に、サーバ５は、算出した単位来店ストローク数、単位勧誘ストローク数、単位接客ストローク数及び単位受付項目数に基づいて、電子ペン用帳票３に記入された内容を集計し、図９に示すような集計結果情報を作成する。そして、作成した集計結果情報を集計結果ＤＢ６に記憶することにより、集計処理は完了する（ステップＳ１０）。
【００８２】
なお、本実施形態では、図１３に示すように、サーバ５が各機能及び集計結果ＤＢ６を有することとしているが、本発明はこれに限定されるものではなく、各機能及び集計結果ＤＢ６を端末装置２５が有することとしてもよい。つまり、電子ペン１０から記入情報を取得した端末装置２５が、集計処理を行うこととしてもよい。
【００８３】
また、本実施形態では、時間情報に含まれる記入時刻に基づいて、単位時間当たりの来店ストローク数、勧誘ストローク数、接客ストローク数及び受付項目数を算出している。単位時間毎にストローク数や項目数を振り分ける際、時間帯が２つに跨っている場合には、記入開始時刻又は記入終了時刻が含まれる時間帯に振り分けるものとする。記入開始時刻又は記入終了時刻のいずれが含まれる時間帯に振り分けるかは任意に設定することができる。
【００８４】
また、本実施形態では、各種電子ペン用帳票を使用して、図９に示すような集計結果情報を作成することとしているが、本発明はこれに限定されるものではなく、例えばマーケティングデータや交通量調査等、個数や人数をカウントする種々の場合に適用することができる。よって、各種電子ペン用帳票のデザインや集計結果情報のデータ構造は任意に設定することができる。
【００８５】
これによれば、電子ペン１０を利用し、ストロークカウント機能、項目カウント機能及び帳票カウント機能と、ペン内時刻取得機能とを組み合わせることで、利用者が時間を意識することなく、各種データを自動集計することができる。
【００８６】
[変形例]
上記実施形態では、受付リスト３ｄにおいて受付者氏名及び連絡先の記入が行われた項目の数に基づいて受付数を算出することとしているが、本発明はこれに限定されるものではない。例えば、受付の際に顧客が電子ペン１０を使用して、図６に示すような申込書３６に記入を行うとする。この場合、サーバ５が予め座標情報に基づいて申込書３６を１枚１枚識別することができる座標テーブルを有しており、顧客が記入した申込書３６の枚数に基づいて受付数を算出することとしてもよい。具体的に、サーバ５は、まず、座標テーブル及び記入情報に基づいて電子ペン１０により記入された申込書３６の枚数を算出する。そして、サーバ５は、算出した枚数と、記入情報に含まれる時間情報とに基づいて、単位時間当たりの記入枚数である単位枚数を算出し、当該単位枚数を単位受付数として集計結果情報を作成する。
【００８７】
これによれば、顧客が電子ペン１０を使用して申込書３６に記入を行うことで、サーバ５は、自動的に単位受付数を算出し、集計結果情報を作成する。よって、受付業務担当のスタッフが、受付リスト３ｄに記入を行う手間を省くことができる。即ち、集計に関するスタッフの負担を軽減することができる。
【産業上の利用可能性】
【００８８】
本発明は、電子ペンを利用し、ストロークカウント機能、項目カウント機能及び帳票カウント機能と、ペン内時刻取得機能とを組み合わせることで、各種データを自動集計することが可能な集計システムとして利用することができる。
【図面の簡単な説明】
【００８９】
【図１】電子ペンの使用形態を模式的に示す図である。
【図２】電子ペンの構造を示す機能ブロック図である。
【図３】専用ペーパーに印刷されたドットパターンによる情報の表現方法を説明する図である。
【図４】ドットパターン及びそれに対応する情報の例である。
【図５】専用ペーパーにより構成される帳票の構造を示す。
【図６】電子ペン用帳票の例を示す。
【図７】本発明における集計システムの概略構成を示す図である。
【図８】管理台帳の例である。
【図９】集計結果情報のデータ構造を模式的に示す図である。
【図１０】各種カウントメモの記入例である。
【図１１】受付リストの記入例である。
【図１２】図７に示す集計システムに含まれるサーバの機能ブロック図である。
【図１３】座標テーブルのデータ構造を模式的に示す図である。
【図１４】集計処理のフローチャートである。
【符号の説明】
【００９０】
２…ネットワーク
３…電子ペン用帳票
５…サーバ
１０…電子ペン
１１…プロセッサ
１２…メモリ
１３…データ通信ユニット
１４…バッテリー
２５…端末装置
２６…問い合わせサーバ
２７…サービスサーバ
１００…集計システム
【図１】
2008117192.tif 000003
【図２】
2008117192.tif 000004
【図３】
2008117192.tif 000005
【図４】
2008117192.tif 000006
【図５】
2008117192.tif 000007
【図６】
2008117192.tif 000008
【図７】
2008117192.tif 000009
【図８】
2008117192.tif 000010
【図９】
2008117192.tif 000011
【図１０】
2008117192.tif 000012
【図１１】
2008117192.tif 000013
【図１２】
2008117192.tif 000014
【図１３】
2008117192.tif 000015
【図１４】
2008117192.tif 000016